(57)【特許請求の範囲】
【請求項１】
軸（３）と、前記軸（３）の一端に形成された頭部（１）を有するブラインド締結要素であって、
前記軸（３）に面する前記頭部（１）の裏面（２）が接触面であり、前記軸（３）の反対側の端に打ち抜き端部（１０、２０、３０、４０）が形成され、
打ち抜き工程を行うための工具適用形態と、締結工程を行うための工具適用形態とを有し、
前記打ち抜き端部（１０、２０、３０、４０）が、本質的に打ち抜き縁部（８）によって画定される面（７、１７、２７、３７）を有することを特徴とするブラインド締結要素。
【請求項２】
前記面（７、１７、２７、３７）が横方向に延びる面である請求項１に記載のブラインド締結要素。
【請求項３】
前記面（７、１７、２７、３７）の直径が前記軸（３）の直径の３０％〜７０％、好ましくは、約６０％〜約４０％である請求項２に記載のブラインド締結要素。
【請求項４】
前記打ち抜き端部（１０、２０、３０、４０）が、前記面（７、１７、２７、３７）の背後の円筒状に延びる部分（６ａ）を有する請求項１〜３のいずれか１項に記載のブラインド締結要素。
【請求項５】
前記打ち抜き端部（１０、２０、３０、４０）が、前記面（７、１７、２７、３７）の背後の円筒状に延びる部分（６ｂ）を有する請求項１〜３のいずれか１項に記載のブラインド締結要素。
【請求項６】
前記打ち抜き端部の前記面と前記軸（３）との間の移行部が、少なくとも部分的に円錐状に形成される請求項１〜５のいずれか１項に記載のブラインド締結要素。
【請求項７】
前記打ち抜き端部の前記面と前記軸（３）との間の前記移行部が、少なくとも部分的に凹状に延びる請求項１〜６のいずれか１項に記載のブラインド締結要素。
【請求項８】
前記面（７、３７）が１つの平面である請求項１〜７のいずれか１項に記載のブラインド締結要素。
【請求項９】
前記面（３７）が、前記軸（３）の軸心に対して直角方向に延びる平面から僅かに斜めになっている平面である請求項１〜８のいずれか１項に記載のブラインド締結要素。
【請求項１０】
前記打ち抜き縁部（８）が平面に対して僅かにずれる請求項１〜７のいずれか１項に記載のブラインド締結要素。
【請求項１１】
前記締結工程が回転であるかまたは回転を含む請求項１〜１０のいずれか１項に記載のブラインド締結要素。
【請求項１２】
前記締結工程が打撃であるかまたは打撃を含む請求項１〜１１のいずれか１項に記載のブラインド締結要素。
【請求項１３】
前記締結工程が引っ張りであるかまたは引っ張りを含む請求項１〜１２のいずれか１項に記載のブラインド締結要素。
【請求項１４】
前記軸（３）が少なくとも部分的に滑らかであり、円筒状に形成される請求項１〜１３のいずれか１項に記載の締結要素。
【請求項１５】
前記軸（３）が、部分的に、少なくとも１つの円周方向リブを有する請求項１〜１４のいずれか１項に記載の締結要素。
【請求項１６】
前記軸（３）が少なくとも部分的にねじ山（９）を有する請求項１〜１５のいずれか１項に記載の締結要素。
【請求項１７】
前記ねじ山が、前記打ち抜き端部と前記軸（３）との間の前記移行部にわたって延びる請求項１６に記載の締結要素。
【請求項１８】
少なくとも１つの削り箇所（４３）を有する請求項１５〜１７のいずれか１項に記載の締結要素。
【請求項１９】
前記軸（３）が少なくとも部分的に円形断面を有する請求項１〜１８のいずれか１項に記載の締結要素。
【請求項２０】
前記軸（３）が少なくとも部分的にトリロブラ断面を有する請求項１〜１９のいずれか１項に記載の締結要素。
【請求項２１】
前記軸（３）が、前記打ち抜き端部（３０）の反対側の前記頭部（１）の前記頂面（４）を起点とする盲孔（１３）を有する請求項１〜２０のいずれか１項に記載の締結要素。
【請求項２２】
前記軸、前記頭部、および前記打ち抜き端部が単一片の構成要素を形成する請求項１〜２１のいずれか１項に記載の締結要素。
【請求項２３】
前記打ち抜き端部（３０、４０）が、別々であるが前記軸（３）に接続される構成要素である請求項１〜２１のいずれか１項に記載の締結要素。
【請求項２４】
前記打ち抜き工程を行うための前記工具適用形態が、前記締結要素の前記軸に対して横方向に延びる前記締結要素の前記頭部（１）の前記表面（４）である請求項１〜２３のいずれか１項に記載の締結要素。
【請求項２５】
前記締結工程を行うための前記工具適用形態が、従来のねじ回し構造（５）として形成される請求項１〜２４のいずれか１項に記載の締結要素。
【請求項２６】
前記締結工程を行うための前記工具適用形態が、前記締結要素の前記長手方向軸に対して横方向に延びる表面である請求項１〜２４のいずれか１項に記載の締結要素。
【請求項２７】
前記締結工程を行うための前記工具適用形態が、前記締結要素の前記軸の内部の盲孔の側壁面である請求項１〜２４のいずれか１項に記載の締結要素。
【請求項２８】
前記締結工程を行うための前記工具適用形態が、前記締結要素の前記軸の内部の盲孔の円錐状の側壁面である請求項１〜２４のいずれか１項に記載の締結要素。
【請求項２９】
前記頭部（１）がその裏面（２）に平坦な接触肩部を有する請求項１〜２８のいずれか１項に記載の締結要素。
【請求項３０】
前記締結要素の前記頭部が皿形の頭部である請求項１〜２８のいずれか１項に記載の締結要素。
【請求項３１】
前記締結要素の前記頭部が、複数に縁取られた頭部、特に、六角形の頭部である請求項１〜２９のいずれか１項に記載の締結要素。
【請求項３２】
請求項１〜３１のいずれか１項に記載の締結要素を打ち込むための方法であって、
前記締結要素の打ち抜き端部（１０、２０、３０、４０）を用いて、急激な送りにより、接続すべき物体（２３、２４）に孔が打ち抜かれるステップと、
前記締結要素のさらなる送りによって前記孔が拡張されるステップと、
軸（３）のねじ山（９）が前記孔に達するかまたは前記孔の内部に入ると、前記送りが終了するステップと、
前記締結要素が挿入されるステップと、
を含む方法。
【請求項３３】
前記ねじ山部（９）が前記孔に達すると、前記送りが終了するように、前記急激な送りが調整される請求項３２に記載の方法。
【請求項３４】
前記急激な送りの工程とねじ込み工程とが時間的に重なる請求項３２または３３に記載の方法。
【請求項３５】
前記締結要素の頭部（１）が接触するまで、および／または前記締結要素の皿形の頭部によって凹部が形成されるまで、前記締結要素がねじ込まれる請求項３２〜３４のいずれか１項に記載の方法。
【請求項３６】
前記急激な送りの開始時に、前記締結要素が予め回転させられる請求項３４または３５に記載の方法。
【発明の詳細な説明】
【技術分野】
【０００１】
本発明は、特に、後面への接触を必要とすることなく、前面から締結を行うことができる、構成要素を接続するための締結要素に関する。この種類の締結要素は、例えば、ブラインドリベット、釘またはさらに自動穿孔ねじであり得る。
【背景技術】
【０００２】
ブラインド締結要素としての釘が既によく知られており（特許文献１）、この釘は、未だ接合領域に孔が開けられていない構成要素の回転なしに高速で駆動され、その結果、釘の頭部の裏面が、押し上げられた材料に接合するまで、釘の先端が両方の構成要素を完全に貫通する。この釘は、接続部を分離するために、リブ状の螺旋プロファイルまたはねじ山を有することができる。
【０００３】
衝撃先端を有するブラインドリベットもよく知られている。
【先行技術文献】
【特許文献】
【０００４】
【特許文献１】独国特許第１０２００６００２２３８号明細書
【発明の概要】
【発明が解決しようとする課題】
【０００５】
本発明の課題は、構造が簡単であり、かつ最も異なる要求において優れた締結結果をもたらす締結要素を提供することである。
【課題を解決するための手段】
【０００６】
この課題を解決するために、本発明は、請求項１に記載の特徴を有する締結要素を提供する。さらに、本発明は、このような締結要素を所定位置に配置するための方法を提供する。
【０００７】
冒頭に記載した締結要素では、このように形成された歪みによる構成要素の著しい変形により、孔が形成されるのに対して、本発明による締結要素によって形成される孔は、最初に、両方の構成要素または少なくとも一方の構成要素の部分が打ち抜かれるような孔を形成する。このことにより、明らかに滑らかな孔縁部が得られる。
【０００８】
本発明による締結要素は、打ち抜き工程を行うための工具が適用される工具適用形態を有する。この工具は、通常、締結要素の長手方向に作用する工具であり、締結要素の長手方向に対して痙攣的または急激な運動の力を加える。
【０００９】
締結工程を行うための工具適用形態も設けられ、この工具適用形態は、必要ならば、打ち抜き工程用の工具適用形態と同一であってもよい。さらに、締結工程を行うための工具適用形態は、両方の工程のために単一の工具が設けられ得るとしても、他の駆動点を含んでもよい。
【００１０】
本発明の別の発展形態では、締結要素の打ち抜き端部が、長手方向軸に対して横方向に延びる面を有し、この面が、ほぼ完全に回転する打ち抜き縁部によって画定されることを意図することができる。したがって、材料の画定部が打ち抜かれる。完全な打ち抜き縁部では、打ち抜き後に部分が完全に除去される。さらに、打ち抜き縁部を完全に円周状に形成するだけでなく、円周の小さな部分に丸い輪郭を設けることも可能かつ適切である。ここで、材料の一部は打ち抜かれるが、この場合、打ち抜き部は縁部の小さな部分の元の材料に繋がったままであるので、締結工程を行う場合に、部品が落下しないだけでなく、横方向に曲がっている。
【００１１】
前記面の直径は、軸の直径より小さくてもよく、例えば、軸の直径の約３０％〜７０％、好ましくは４０％〜６０％の範囲にあることが好ましい。
【００１２】
面の直径が軸の直径よりも小さい場合、両方の直径の間には、面の背後から始まる移行領域が存在する。この場合、次に、締結要素の打ち抜き端部が面の背後に円筒状に延びることを意図することができる。「円筒状に」とは、断面の大きさも断面形状も変化しないことを意味する。断面形状が円形状を含む必要はなく、面も円形である必要はないが、円形表面または少なくともほぼ円形の表面が好ましい。多角形状も可能である。
【００１３】
円筒状に延びる部分の代わりに、本発明によれば、面の背後で最初のアンダーカット部が利用可能であり、これにより、断面の大きさが軸の直径に対してさらに連続的に増大する前に、断面の大きさが最初に減少することを意図することができる。
【００１４】
さらに、打ち抜き端部と軸との間の移行部が少なくとも部分的に円錐状に形成されることが可能である。円筒部が面の背後で利用可能である場合にも、さらにアンダーカットが設けられる場合にも、この図像が適用される。
【００１５】
円錐状の移行部の代わりに、移行部は少なくとも、部分的に凹状に延びることができる。さらに、軸自体に直接移行するために、僅かに凸状の湾曲部を丸い移行部の形状で設けることができる。
【００１６】
締結要素の打ち抜き端部で利用可能な面が、締結要素の長手方向に対して横方向に、または逆に、締結要素の軸に対して横方向に延びることは既に説明した。したがって、長手方向軸に対して垂直に延びる平面からのずれも含まれるべきであることに留意されたい。
【００１７】
このようにして、より正確には、前面が平面であることを意図することができる。この平面は、締結要素の長手方向軸に対して垂直にも僅かに斜めにも延びることができる。結果として、垂直平面からの僅かなずれにより、打ち抜き縁部の全ての箇所で同じモーメントが正確に生じない打ち抜き工程が行われ、これにより、いくつかの状況下で、より滑らかな切断を実現することが可能になる。したがって、特に、切断力特性が助長される。
【００１８】
面は平面でなくてもよく、この平面から僅かにずれることができ、例えば、その面は、ある角度で延びる２つの平面部を有することができるか、または湾曲させることもできる。
【００１９】
ブラインド締結要素が、打ち抜き工程を行うための工具適用形態と、打ち抜き工程に続いて締結工程を行うための工具適用形態とを有することは冒頭で既に説明した。両方の工程について、単一の工具、例えばビットをいくつかの状況下で設けることができる。
【００２０】
締結工程は例えば回転工程を含むことができる。打ち抜き工程は、常に、締結要素の長手方向の線形工程を含むが、締結工程は他の方向の工程を含むことができる。それに応じて、締結要素は、それを回転させることができる工具適用形態を有する。同時に、締結要素は、凸状または凹状の従来のねじ回し部を含むことができる。
【００２１】
さらに、締結工程が衝撃工程であり、したがって、打ち抜き工程と同じ方向の工程であることも可能である。
【００２２】
さらに他の実施形態では、締結工程が引っ張り工程を含み、したがって、打ち抜き工程とは反対方向の工程を含むことを意図することもできる。
【００２３】
本発明の別の実施形態では、軸が少なくとも部分的に滑らかにかつ円筒状に形成されることを意図することができる。その場合、このことは、衝突または引っ張りによって締結工程が行われる場合に特に当てはまる。
【００２４】
さらに、締結要素の軸が少なくとも部分的に円周方向リブを有することも可能である。このようなリブは、接続すべき構成要素の保持工程の改善に役立つことができる。
【００２５】
さらに、本発明によれば、締結要素の軸が部分的にねじ山を有することが可能でありかつ提案される。
【００２６】
打ち抜き端部の断面は円形であり得るが、円形からずれてもよいことは冒頭で説明した。本発明は、締結要素の軸が少なくとも部分的に円形断面を有することを提案する。
【００２７】
さらに、本発明によれば、軸が、少なくとも部分的に、円形からずれている断面、例えば、トリロブラ（略三角形状）という用語でもよく知られている、かなり丸い角部を有する多角形状を有することも可能でありかつ提案される。
【００２８】
本発明によれば、締結要素の軸が、打ち抜き端部の反対側の頂面を起点とする盲孔を有することを意図することができる。この盲孔を用いて、拡張体を挿入して把持することができる。
【００２９】
本発明によれば、締結要素の頭部、軸、および打ち抜き端部が単一の構成要素を形成することを意図することができる。
【００３０】
さらに、打ち抜き端部は別々の構成要素であるが、軸と頭部とに接続されることも可能である。その場合、このことは、どのような理由であれ、他のまたは異なって加工された材料の打ち抜き端部を使用しようとする場合に特に重要である。
【００３１】
打ち抜き工程を行うための工具の適用形態は、好ましくは、締結要素の頭部の軸に対して横方向に整列される表面である。
【００３２】
回転が締結工程の一部である場合に、締結工程を行うための工具の適用形態を従来のねじ回し構造として形成することができる。
【００３３】
さらに、締結工程を行うための工具の適用形態が、締結要素の長手方向軸に対して横方向に延びる表面であることが可能である。この適用形態は、前方に押すことによって締結するために、さらには、引っ張ることによって締結するために提供することができる。
【００３４】
締結工程を行うための工具の適用形態を形成することができる別の方法は、その工具の適用形態が、アンダーカットを有しない締結要素の軸内の盲孔の側壁面を含む方法である。その場合、側壁面は円筒状の側壁面であっても、円錐状の側壁面であってもよい。
【００３５】
締結要素の頭部は、ねじ用の周知のような頭部、したがって、例えば、接触面を形成する平坦な裏面を有する六角形状の頭部を含むことができる。また、ねじ込み時に埋設することができる皿形の頭部も可能である。
【００３６】
さらに、本発明は、独立請求項の方法の特徴を有する方法を提供する。締結要素の打ち抜き端部を用いて、急激な送りにより、接続すべき物体に孔が打ち抜かれ、この孔が、締結要素をさらに送ることによって拡張され、その結果、軸のねじ山が孔の内部に達すると、送りが終了し、このようにして、締結要素がその頭部とその裏面との間の接点に固定されるような方法で、締結要素が使用される。本方法では、ねじ込み工程中に、締結工程、例えばねじ込み工程によってのみ、別の送りが決定される。
【００３７】
特に、本方法では、ねじ山部が孔に達すると、送りが終了するように、急激な送りが決定されることを意図することができる。
【００３８】
さらに、真っ直ぐに送っている間に、ねじ込み工程が既に開始しており、その結果、両方の運動が一時的に重なることを意図することができる。
【００３９】
締結要素の頭部が皿形の頭部を含む場合、締結頭部の頂面が、接続すべき両方の物体の上部の表面と面一に位置するまで、ねじ込み工程を行うこともできる。
【００４０】
本発明によれば、それらの工程は、本明細書に記載されている特徴の任意の組み合わせによって特徴付けることができる。
【００４１】
本発明の別の特徴、詳細および利点は、請求項および要約から明らかとなり、請求項および要約の用語は、説明内容に基づいており、本発明の好ましい実施形態の以下の説明内容に基づいており、そして図面に基づいている。
【図面の簡単な説明】
【００４２】
【図１】本発明による第１の締結要素の側面図である。
【図２】第２の締結要素の打ち抜き端部の拡大スケール図である。
【図３】凸面を有する打ち抜き端部の側面図である。
【図４】凹面を有する打ち抜き端部の側面図である。
【図５】斜面を有する打ち抜き端部の側面図である。
【図６】ほぼ完全に閉じられた打ち抜き縁部を有する打ち抜き縁面の図である。
【図７】別の締結要素の軸方向断面図である。
【図８】締結工程の第１段階にある図７の締結要素の図である。
【図９】図８に対応する、打ち抜き工程後の断面図である。
【図１０】締結工程の開始時の軸方向断面図である。
【図１１】図１０に対応する、締結工程を行った後の断面図である。
【図１２】図７に対応する別の締結要素の断面図である。
【図１３】図７および図１２の一方に対応するさらに他の締結要素の断面図である。
【図１４】図２に対応する別の実施形態の図である。
【図１５】図１４に対応するさらに別の実施形態の図である。
【図１６】前部打ち抜き端部の変形実施形態の図である。
【発明を実施するための形態】
【００４３】
簡略化した側面図において、図１は、頭部１を一端に有する第１の締結要素を示している。この頭部１は、軸３が取り付けられる平面に位置する裏面２を含む。頭部の頂面４の反対側の裏面２には、平面が形成される。この平面から、従来のねじ回し構造の形状を有する破線で示した凹部５が頭部１に延びる。頭部の頂面４は、他の形状を有してもよく、例えば、凸状であってもよい。
【００４４】
締結要素の頭部１の反対側の端部領域において、ねじ軸３は凸アーチ状の部分６に変形し、前面７のようになる。この面７は、打ち抜き縁部として形成される回転縁部８を有する。このことは、締結要素のこの打ち抜き端部が当たって材料を打ち抜くことができるように、前面７が鋭利に縁取られて形成されることを意味する。したがって、鋭さは、打ち抜かれることが想定される材料の種類におよび急激な運動に依存する。
【００４５】
締結要素の頭部１を起点として、軸３は、輪郭であるねじ山９を有するそのねじ山は軸３の円筒部の直前に終端する。
【００４６】
この締結要素は、締結するために使用されるべき材料を打ち抜くことによって孔を形成するように意図される。打ち抜きの実施は、工具によって締結要素に伝達される急激な運動により行われる。頭部１の頂面４はこの目的を果たす。このようにして、この頂面４は、打ち抜き工程を行うべきである工具用の適用形態を形成する。
【００４７】
締結に関連する材料の内部への実際の締結は、締結要素をねじることにより行われるべきであり、これによって、次に、締結要素がねじ山９の助けによりねじ込まれる。締結要素のねじ込み運動のための回転を行うことができるようにするために、図示した実施形態には凹部５が設けられ、したがって、この凹部は、締結工程を行うための工具用の適用形態を形成する。もちろん、締結要素の頭部は複数の縁部の頭部、特に、六角形の縁部の頭部として形成されることも可能である。
【００４８】
図１に示した例示的な実施形態の平坦な前面７は、締結要素の長手方向軸に対して垂直に延在する平面に延びる。
【００４９】
面７のすぐ背後で、したがって、打ち抜き縁部８のすぐ背後でも、打ち抜き端部１０は、最初に円筒部６ａに延びるか、または僅かなアンダーカットにより、次にそこから輪郭が凹曲線で軸３まで延びる。
【００５０】
図２は、僅かに変形された実施形態の前部打ち抜き端部１０のみを示している。同様に、面７は、打ち抜き縁部８と共に、締結要素の長手方向軸に対して垂直に延在する平面に延びる。面７のすぐ背後で、直径、したがって、第１の部分６ｂの断面積が減少する。面７の背後のアンダーカットによって、面７と軸３との間の移行部が凹状になる。
【００５１】
図１による実施形態および図２による実施形態の両方において、面７は、締結要素の長手方向軸に対して垂直に延びる平面である。変形例において、図３は、面１７が凸状である別の実施形態の打ち抜き端部を示している。この場合、この面１７も長手方向軸に対してほぼ垂直に延びる。
【００５２】
図４には、反対側に曲がった対応する面２７が示されている。
【００５３】
次に、図５は、前面３７が、図１および図２による実施形態のように、平面として同様に形成される変形例を示している。この場合、この平面は、図１および図２の種類の面よりも僅かに斜めに配置される。この場合、打ち抜き工程がこのように図５の左側で開始するので、打ち抜き縁部は、打ち抜き工程を全ての箇所で同時に行わない。
【００５４】
図６は、打ち抜き縁部８を有する面７を示している。打ち抜き縁部８は、側壁面と面との間の移行部が面取りされて延びるように、本質的に枠線に沿って延び、点１１のみで途切れる。このようにして、材料が破断せずに曲がる程度に狭くなっている材料の箇所に、打ち抜き工程の打ち抜き部が引っ掛かることを実現すべきである。
【００５５】
図１および図２は、実際の締結が回転によって行われる締結要素を示しているが、ここで、図７〜図１１は、打ち抜き工程後の次の締結が、打ち抜き端部を引っ張ることによって行われる締結要素を示している。締結要素は、図１による実施形態の頭部１と同様の構造である頭部１を含む。締結要素は、外面が滑らかに延びる軸３を含む。断面は円形またはほぼ円形である。打ち抜き端部２０は軸３の円筒部に隣接し、この場合、輪郭６は凹状であり、面７に終端する。この面は、図１による実施形態の面７と同様に配置される。さらに、打ち抜き端部２０は、図１〜図６に示したような他の全ての形状をとることもできる。
【００５６】
頭部１の頂面４から始まる盲孔１３は軸３の内部に形成される。この盲孔１３は円筒状であり、底部１４を有する。同心の隆起部１５は盲孔１３の底部に形成される。
【００５７】
孔を打ち抜くための打ち抜き工程は、図１による実施形態で示したのと同じ方法でこの締結要素において行われる。このことは、頭部１の表面４が、図８に示した打ち抜き工具２１用の適用形態を形成することも意味する。例えば締結要素を工具に保持するための修正された手段は図示されていない。図８において、図７の締結要素は、接続すべき２つの板金２３、２４の表面２２に配置される。ここで、第１の作用として、工具２１の急激な送りが生じ、その結果、打ち抜き端部２０が孔を形成し、さらなる送りにおいて、締結要素が縁部を下方に曲げる。頭部１の裏面２が上部板金２３の頂面２２に載置すると、送りが終了する。この状態は図９に示されている。
【００５８】
締結要素がこの時点で打ち抜かれた後、図９に示したように、その締結要素をここでさらに固定しなければならない。このため、ロッド２５は、盲孔１３の内部の突出部１５に接触するまで工具２１に押入され、溶接によって突出部１５に接続される。次に、ロッド２５の後退が行われ、さらに、このロッドが、変形されている締結要素の板金の裏面に利用可能な部分２４に至り、このようにして、締結要素を両方の板金２３、２４に固定する。リベット頭部２６が形成される（図１１参照）。ここで、例えば、回転またはさらなる力の増大によって、ロッド２５を締結要素から解放することができ、工具２１が取り外される。
【００５９】
上に記載および説明した実施形態では、締結要素は常に単一片である。次に、図１２は、打ち抜き端部３０が、延長部３１によって締結要素の軸３の貫通穿孔部３２内に相互作用する別々の構成要素として形成される締結要素を示している。締め付けによって、延長部３１を貫通穿孔部３２に固定することができる。打ち抜き端部３０の外部形状は打ち抜き端部１０、２０の上記の任意の形状に対応することができる。打ち抜き端部３０の最大箇所の外径は軸３の外径に対応する。図１２に示した締結要素は図７の締結要素と同じ方法で使用される。
【００６０】
図１３は、頭部１と頂面４と下部接触肩部２とを有する別の締結要素を示している。この場合も、打ち抜き端部４０は別々の構成要素として形成される。軸３の穿孔部は、頭部１の裏面２からある距離にある狭窄部を含み、この狭窄部は、穿孔部とその狭くなっている部分との間の湾曲した移行部によって形成される。穿孔部には差し込み部３４が嵌合され、その差し込み部が頭部の頂面４の上方に突出する。差し込み部は締結要素の部分である。この締結要素は、図７および図１２による実施形態と同じ方法で打ち抜くために使用される。さらに、図９の位置に達すると、差し込み部３４の外面３５で、さらに急激な送り運動が行われる。このようにして、軸３の下部が半径方向外側に押しやられるので、リベット頭部がこのように形成される。打ち抜き端部４０は落下する。
【００６１】
先の実施形態では、打ち抜き端部と円筒軸３との間の移行領域が滑らかに形成されているが、図１４および図１５は、軸３と打ち抜き端部５０との間の移行領域４１にねじ山４９がさらに設けられる実施形態を示している。言い換えれば、ねじ山は軸３から移行領域４１の端部に延び、この場合、ねじ山４９は方法に応じて終端または開始する。したがって、ねじ山４９が孔に達すると、ねじ込み工程によって、この箇所で打ち抜き孔の拡張を行うことができる。
【００６２】
移行領域４１は、上に説明および記載した（図１〜図４を参照して説明した）全ての基本形状を有することができる。同じことが打ち抜き端部５０およびその面７にも適用される。図１４に示した実施形態では、移行領域４１の輪郭は凸状である。
【００６３】
図１５は、移行領域４２が円錐形状である実施形態を示している。図１５に示した実施形態は、特に、締結要素の長手方向軸に対して僅かに斜めに延びる削り箇所４３が、ねじ山を通して形成されるという点においても、図１４の実施形態とは異なる。それにより、ねじ山を形成するための切削工程も行われることを実現することができる。
【００６４】
さらに、図１４は、打ち抜き端部６０の別の実施形態を示している。面７には引き続き、ある種の板が直接形成され、この板の背後において打ち抜き端部の直径が減少する。この場合、段状のアンダーカットが形成される。
【００６５】
図１４および図１５に示したように、締結要素を面および任意の締結要素頭部と任意に組み合わせることができる。
【００６６】
ねじ山は有利には自動切削ねじ山を含む。さらに、ねじ山は板金ねじまたは木ねじ山を含むことも可能である。
【００６７】
締結要素は、異なる材料を共に固定するように、例えば、板金を板金に、板金を木にそして板金をプラスチックに固定するように機能することができる。異なる用途例に対して、異なるねじ山形状を使用することを意図することができる。
【００６８】
図示した実施形態では、ねじ山は、軸において、ねじ頭部または皿形の頭部の裏面まで延びる。このことは不要である。ねじ山が、例えば、軸の半分にわたって延びるだけでも十分であり得る。その場合、ねじ山が頭部の裏面まで延びない構成は、締結要素の頭部の近傍に配置された板金が基部に引き上げられる必要があると特に有利である。
【符号の説明】
【００６９】
１  頭部
２  裏面
３  軸
４  頭部の頂面
５  凹部
６  凸アーチ状の部分
６ａ  円筒部
６ｂ  第１の部分
７  前面
８  縁部
９  ねじ山
１０  前部打ち抜き端部
１１  点
１３  盲孔
１４  底部
１５  隆起部
１７  面
２０  打ち抜き端部
２１  打ち抜き工具
２２  板金２３、２４の頂面
２３  板金
２４  板金
２５  ロッド
２６  リベット頭部
２７  反対側に曲がった面
３０  打ち抜き端部
３１  延長部
３２  軸３の貫通穿孔部
３４  差し込み部
３５  差し込み部３４の外面
３７  前面
４０  打ち抜き端部
４１  軸３と打ち抜き端部５０との間の移行領域
４２  移行領域
４３  削り箇所
４９  ねじ山
５０  打ち抜き端部
６０  打ち抜き端部
【図１】
0005408806.tif 000002
【図２】
0005408806.tif 000003
【図３】
0005408806.tif 000004
【図４】
0005408806.tif 000005
【図５】
0005408806.tif 000006
【図６】
0005408806.tif 000007
【図７】
0005408806.tif 000008
【図８】
0005408806.tif 000009
【図９】
0005408806.tif 000010
【図１０】
0005408806.tif 000011
【図１１】
0005408806.tif 000012
【図１２】
0005408806.tif 000013
【図１３】
0005408806.tif 000014
【図１４】
0005408806.tif 000015
【図１５】
0005408806.tif 000016
【図１６】
0005408806.tif 000017